(57)【特許請求の範囲】
【請求項１】
主電源と、前記主電源とは異なる給電設備と、から電力を供給される複数の電圧系統のいずれかに接続された電気機器を管理するための機器管理装置と、
前記電気機器の消費電力を測定するための電力計測装置と、を備える機器管理システムであって、
前記複数の電圧系統を構成する電圧線の各々の無効電力を算出する無効電力演算手段と、
前記無効電力演算手段によって算出された各々の無効電力が、前記電気機器の動作状態が変化する前後で変動したか否かを判断する変動検出手段と、
前記変動検出手段による判断の結果に基づいて、前記電気機器が接続された電圧系統を決定する接続系統決定手段と、を備える機器管理システム。
【請求項２】
前記電気機器の動作状態が変化する前後に前記無効電力演算手段によって算出された各々の無効電力を表示する表示手段をさらに備える
請求項１に記載の機器管理システム。
【請求項３】
複数の電圧系統のいずれかに接続された電気機器を管理するための機器管理装置と、
前記電気機器の消費電力を測定するための電力計測装置と、を備える機器管理システムであって、
前記複数の電圧系統を構成する電圧線の各々に接続された給電設備から流れる電流波形の位相が、前記給電設備により印加される電圧波形の位相よりθ度進んでいる場合に、前記電気機器に流れる電流の位相を９０度−θ度シフトさせた電流と前記電圧線の各々の電圧との積である直交電力を算出する直交電力演算手段と、
前記直交電力演算手段によって算出された各々の直交電力が、前記電気機器の動作状態が変化する前後で変動したか否かを判断する変動検出手段と、
前記変動検出手段による判断の結果に基づいて、前記電気機器が接続された電圧系統を決定する接続系統決定手段と、を備える機器管理システム。
【請求項４】
前記電気機器の動作状態が変化する前後に前記直交電力演算手段によって算出された直交電力の各々を表示する表示手段をさらに備える
請求項３に記載の機器管理システム。
【請求項５】
主電源と、前記主電源とは異なる給電設備と、から電力を供給される複数の電圧系統のいずれかに接続された電気機器の消費電力を測定する電力計測装置であって、
前記複数の電圧系統を構成する電圧線の各々の無効電力を算出する無効電力演算手段と、
前記無効電力演算手段によって算出された各々の無効電力が、前記電気機器の動作状態が変化する前後で変動したか否かを判断する変動検出手段と、
前記変動検出手段による判断の結果に基づいて、前記電気機器が接続された電圧系統を決定する接続系統決定手段と、を備える電力計測装置。
【請求項６】
複数の電圧系統のいずれかに接続された電気機器の消費電力を測定する電力計測装置であって、
前記複数の電圧系統を構成する電圧線の各々に接続された給電設備から流れる電流波形の位相が、前記給電設備により印加される電圧波形の位相よりθ度進んでいる場合に、前記電気機器に流れる電流の位相を９０度−θ度シフトさせた電流と前記電圧線の各々の電圧との積である直交電力を算出する直交電力演算手段と、
前記直交電力演算手段によって算出された各々の直交電力が、前記電気機器の動作状態が変化する前後で変動したか否かを判断する変動検出手段と、
前記変動検出手段による判断の結果に基づいて、前記電気機器が接続された電圧系統を決定する接続系統決定手段と、を備える電力計測装置。
【請求項７】
主電源と、前記主電源とは異なる給電設備と、から電力を供給される複数の電圧系統を構成する電圧線の各々の無効電力を算出し、
前記算出された各々の無効電力が、前記複数の電圧系統のいずれかに接続された電気機器の動作状態が変化する前後で変動したか否かを判断し、
前記判断の結果に基づいて、前記電気機器が接続された電圧系統を決定する機器管理方法。
【請求項８】
複数の電圧系統を構成する電圧線の各々に接続された給電設備から流れる電流波形の位相が、前記給電設備により印加される電圧波形の位相よりθ度進んでいる場合に、前記複数の電圧系統のいずれかに接続された電気機器に流れる電流の位相を９０度−θ度シフトさせた電流と前記電圧線の各々の電圧との積である直交電力を算出し、
前記算出された各々の直交電力が、前記電気機器の動作状態が変化する前後で変動したか否かを判断し、
前記判断の結果に基づいて、前記電気機器が接続された電圧系統を決定する機器管理方法。
【発明の詳細な説明】
【技術分野】
【０００１】
本発明は、機器管理システム、電力計測装置及び機器管理方法に関する。
【背景技術】
【０００２】
一般の家庭には、単相三線電源から電力が供給されることが多い。単相三線電源では、１００Ｖの交流電圧を印加するための電圧線Ｌ１と、電圧線Ｌ１とは逆位相で１００Ｖの交流電圧を印加するための電圧線Ｌ２と、中性線である中性線Ｎとで構成される主幹回路を通じて電力を供給する。そして、単相三線電源は、一般的に、３つの電圧系統（電圧線Ｌ１と中性線Ｎとで構成される第１の電圧系統、電圧線Ｌ２と中性線Ｎとで構成される第２の電圧系統、及び、電圧線Ｌ１と電圧線Ｌ２とで構成される第３の電圧系統）を有する。
【０００３】
主幹回路には、通常、一対の配線で構成される分岐回路が複数接続する。分岐回路によって１００Ｖの電源電圧を供給する場合、その分岐回路を構成する一対の配線は、一方が電圧線Ｌ１又は電圧線Ｌ２に接続され、他方が中性線Ｎに接続される。分岐回路によって２００Ｖの電源電圧を供給する場合、その分岐回路を構成する一対の配線は、一方が電圧線Ｌ１に接続され、他方が電圧線Ｌ２に接続される。
【０００４】
単相三線電源から供給される電力について、主幹回路と複数の分岐回路との各々を介した消費電力を測定する技術が種々提案されている（例えば、特許文献１参照）。
【０００５】
例えば、分岐回路を介して第１電圧系統に接続された電気機器の消費電力は、電圧線Ｌ１の電圧と、その電気機器が接続された分岐回路を流れる電流とに基づいて、測定される。分岐回路を介して第２電圧系統に接続された電気機器の消費電力は、電圧線Ｌ２の電圧と、その電気機器が接続された分岐回路を流れる電流とに基づいて、測定される。分岐回路を介して第３の電圧系統に接続された電気機器の消費電力は、電圧線Ｌ１及び電圧線Ｌ２の両方における電圧と、その電気機器が接続された分岐回路を流れる電流とに基づいて、測定される。
【０００６】
そのため、分岐回路に接続された電気機器の消費電力を測定するには、その電気機器が分岐回路を介して３つの電圧系統のうちのいずれに接続されているかを予め設定する必要がある。
【先行技術文献】
【特許文献】
【０００７】
【特許文献１】特開２０００−２８４００５号公報
【発明の概要】
【発明が解決しようとする課題】
【０００８】
しかしながら、電気機器が接続された電圧系統の設定は、未だ自動化されておらず、施工業者、ユーザなどの設定者が行っている。設定者による設定を支援するような技術もほとんど提案されていない。そのため、電気機器が接続された電圧系統の設定には手間が掛かっている。
【０００９】
本発明は、上述の事情に鑑みてなされたもので、電気機器が接続された電圧系統の設定を容易にする機器管理システムなどを提供することを目的とする。
【課題を解決するための手段】
【００１０】
上記目的を達成するため、本発明に係る機器管理システムは、主電源と、主電源とは異なる給電設備と、から電力を供給される複数の電圧系統のいずれかに接続された電気機器を管理するための機器管理装置と、電気機器の消費電力を測定するための電力計測装置と、を備える。機器管理システムは、複数の電圧系統を構成する電圧線の各々の無効電力を算出する無効電力演算手段と、無効電力演算手段によって算出された各々の無効電力が、電気機器の動作状態が変化する前後で変動したか否かを判断する変動検出手段と、変動検出手段による判断の結果に基づいて、電気機器が接続された電圧系統を決定する接続系統決定手段と、を備える。
【発明の効果】
【００１１】
本発明によれば、複数の電圧系統を構成する電圧線の各々の電力が、電気機器の動作状態が変化する前後で変動したか否かを判断する。そして、その判断の結果に基づいて、電気機器が接続された電圧系統を決定する。例えば決定された内容を設定者に知らせることによって、電気機器が接続された電圧系統の設定を支援することができる。また例えば、決定された内容を電力計測装置に自動的に設定することで、電気機器が接続された電圧系統の設定を自動化することができる。従って、電気機器が接続された電圧系統の設定を容易にすることが可能になる。
【図面の簡単な説明】
【００１２】
【図１】本発明の実施の形態１に係る機器管理システムの構成を示す図である。
【図２】実施の形態１に係る電力計測装置の機能的な構成を示す図である。
【図３】実施の形態１に係る接続系統データの一例を示す図である。
【図４】実施の形態１に係る電力データの一例を示す図である。
【図５】実施の形態１に係る機器管理装置の機能的な構成を示す図である。
【図６】実施の形態１に係る待機時間データの一例を示す図である。
【図７】実施の形態１に係る閾値データの一例を示す図である。
【図８】実施の形態１に係る接続系統設定処理の流れを示すフローチャートである。
【図９】図８に示す変動検出処理の流れの詳細を示すフローチャートである。
【図１０】図８に示す接続系統決定処理の流れの詳細を示すフローチャートである。
【図１１】実施の形態１に係る機器消費電力測定処理の流れを示すフローチャートである。
【図１２】本発明の実施の形態２に係る機器管理システムの構成を示す図である。
【図１３】実施の形態２に係る電力計測装置の機能的な構成を示す図である。
【図１４Ａ】実施の形態２に係る電力データの一例を示す図である。
【図１４Ｂ】実施の形態２に係る電力データの一例を示す図である。
【図１５】変形例６に係る機器管理システムの構成を示す図である。
【図１６】変形例６に係る電力計測装置の機能的な構成を示す図である。
【発明を実施するための形態】
【００１３】
以下、本発明の実施の形態について、図面を参照しつつ説明する。全図を通じて同一の要素には同一の符号を付す。
【００１４】
実施の形態１．
本発明の実施の形態１に係る機器管理システム１００は、図１に示すように、単相三線電源が有する３つの電圧系統のいずれかに接続された機器Ａ１０１及び機器Ｂ１０２を管理するためのシステムである。本実施の形態に係る機器Ａ１０１及び機器Ｂ１０２は、それぞれ、空調機及びテレビ受像器（テレビ）である。なお、３つの電圧系統のいずれかに接続される機器Ａ１０１（機器Ｂ１０２）は、１つであってもよい。
【００１５】
単相三線電源は、同図に示すように、電圧線Ｌ１（Ｌ１配線）と電圧線Ｌ２（Ｌ２配線）と中性線Ｎ（Ｎ配線）とで構成される主幹回路１０３を通じて電力を供給する。電圧線Ｌ１と電圧線Ｌ２とは、機器Ａ１０１及び機器Ｂ１０２に電圧を印加するための配線であって、例えば１００Ｖの交流電圧を逆位相で印加する。
【００１６】
単相三線電源は、電圧線Ｌ１と中性線Ｎとで構成される第１電圧系統、電圧線Ｌ２と中性線Ｎとで構成される第２電圧系統、及び、電圧線Ｌ１と電圧線Ｌ２とで構成される第３電圧系統という３つの電圧系統を有する。
【００１７】
なお、単相三線電源は、複数の電圧線により構成される複数の電圧系統を有する電源の一例である。このような電源は、単相三線電源に限られず、例えば、三相三線電源などであってもよい。
【００１８】
主幹回路１０３には、同図に示すように、主幹回路１０３の接続と遮断とを切り替える主幹ブレーカ１０４と、電圧線Ｌ１及び電圧線Ｌ２の各々に流れる電流を測定するための電流センサ（カレントトランス）ＣＴ１，ＣＴ２とが設けられている。
【００１９】
電流センサＣＴ１と電流センサＣＴ２とは、電圧線Ｌ１及び電圧線Ｌ２のそれぞれに設けられる。詳細には、電流センサＣＴ１は、電圧線Ｌ１に対応付けて配置されており、電圧線Ｌ１を流れる電流の大きさに応じた電流信号を出力する。電流センサＣＴ２は、電圧線Ｌ２に対応付けて配置されており、電圧線Ｌ２を流れる電流の大きさに応じた電流信号を出力する。
【００２０】
また、主幹回路１０３からは、２つの分岐回路（第１分岐回路１０５ａ，第２分岐回路１０５ｂ）が分岐している。分岐回路１０５ａ，１０５ｂの各々は、対をなす２本の配線から構成され、一方の配線が電圧線Ｌ１又は電圧線Ｌ２に電気的に接続され、他方の配線が中性線Ｎに電気的に接続される。
【００２１】
本実施の形態では、同図に示すように、第１分岐回路１０５ａには、機器Ａ１０１が接続しており、第１分岐回路１０５ａの配線は、電圧線Ｌ１と中性線Ｎ（すなわち、第１電圧系統）に接続されている。第２分岐回路１０５ｂには、機器Ｂ１０２が接続しており、第２分岐回路１０５ｂの配線は、電圧線Ｌ２と中性線Ｎ（すなわち、第２電圧系統）に接続されている。
【００２２】
分岐回路１０５ａ，１０５ｂの各々には、同図に示すように、分岐回路１０５ａ，１０５ｂの各々の接続と遮断とを切り替える分岐ブレーカ１０６ａ，１０６ｂと、電流センサ（カレントトランス）ＣＴ３，ＣＴ４とが設けられている。
【００２３】
電流センサＣＴ３と電流センサＣＴ４とは、分岐回路１０５ａ，１０５ｂの各々を構成する配線の一方（電圧線Ｌ１又は電圧線Ｌ２に接続された配線）に設けられ、その配線を流れる電流の大きさに応じた電流信号を出力する。
【００２４】
詳細には、電流センサＣＴ３は、第１分岐回路１０５ａを構成する２本の配線のうち、電圧線Ｌ１に接続される配線に対応付けて配置されている。本実施の形態では、機器Ａ１０１が第１分岐回路１０５ａに接続されているので、電流センサＣＴ３は、機器Ａ１０１へ流れる電流の大きさに応じた電流信号を出力する。
【００２５】
電流センサＣＴ４は、第２分岐回路１０５ｂを構成する２本の配線のうち、電圧線Ｌ２に接続される配線に対応付けて配置されている。本実施の形態では、機器Ｂ１０２が第１分岐回路１０５ｂに接続されているので、電流センサＣＴ４は、機器Ｂ１０２へ流れる電流の大きさに応じた電流信号を出力する。
【００２６】
図示しないが、第３電圧系統に接続される分岐回路の場合、通常、分岐回路を構成する２本の配線の各々に流れる電流は等しくなるので、電流センサは、２本の配線のいずれか一方に（例えば、電圧線Ｌ１に接続される配線に）対応付けて配置されるとよい。なお、電流センサが、分岐回路を構成する２本の配線の両方に設けられてもよい。
【００２７】
なお、分岐回路の数は、２つに限られず、幾つであってもよい。また、機器Ａ１０１及び機器Ｂ１０２は、複数の電圧系統のいずれかに分岐回路を介して接続される電気機器の例であって、空調機、テレビに限られない。電気機器は、例えば、照明機器、電気給湯器、洗濯機、電磁調理器などであってもよい。
【００２８】
機器管理システムは、同図に示すように、機器Ａ１０１及び機器Ｂ１０２の各々の消費電力を測定するための電力計測装置１０７と、機器Ａ１０１及び機器Ｂ１０２を管理するための機器管理装置１０８とを備える。
【００２９】
電力計測装置１０７と機器管理装置１０８とは、有線、無線又はそれらを組み合わせて構成される通信回線を介して通信可能に接続されている。機器管理装置１０８と、機器Ａ１０１及び機器Ｂ１０２の各々とは、有線、無線又はそれらを組み合わせて構成される通信回線を介して通信可能に接続されている。
【００３０】
電力計測装置１０７は、機能的には図２に示すように、各種データを記憶する電力計測記憶部１０９と、電圧線Ｌ１と中性線Ｎとの間、及び、電圧線Ｌ２と中性線Ｎとの間の電圧（電圧値）を測定する電圧測定部１１０と、電流センサＣＴ１〜ＣＴ４が配置された配線を流れる電流（電流値）を測定する電流測定部１１１と、消費電力を演算する電力演算部１１２と、機器管理装置１０８からデータを取得して電力計測記憶部１０９に記憶させる設定部１１３とを備える。
【００３１】
電力計測記憶部１０９は、例えば、機器Ａ１０１及び機器Ｂ１０２の各々が接続された電圧系統を示す接続系統データ１１４と、電力演算部１１２によって演算された消費電力を示す電力データ１１５とを記憶する。
【００３２】
接続系統データ１１４は、例えば、図３に示すように、機器Ａ１０１及び機器Ｂ１０２の各々を特定するための機器情報と、機器Ａ１０１及び機器Ｂ１０２の各々が接続された電圧系統を示す接続系統情報と、機器Ａ１０１及び機器Ｂ１０２の各々が接続された分岐回路を示す分岐回路情報とを、機器Ａ１０１及び機器Ｂ１０２ごとに関連付けたデータである。
【００３３】
同図に示す接続系統データ１１４は、例えば、機器情報として、機器Ａ１０１に付された固有の名称を示す「機器Ａ」を含む。この接続系統データ１１４において、「機器Ａ」に関連付けられた接続系統情報及び分岐回路情報は、それぞれ、「第１電圧系統」及び「第１分岐回路」を示す。
【００３４】
なお、機器情報には、機器Ａ１０１及び機器Ｂ１０２の各々に付された固有の名称に限られず、機器管理システム１００において機器Ａ１０１及び機器Ｂ１０２の各々を特定することができるものであれば任意の情報が採用されてよい。例えば、機器情報は、機器管理システム１００における通信に採用されるアドレスであってもよい。接続系統情報についても、機器管理システム１００において、電圧系統の各々を特定することができるものであれば任意の情報（数字、文字、記号など）が採用されてよい。分岐回路情報についても、機器管理システム１００において、分岐回路の各々を特定することができるものであれば任意の情報（数字、文字、記号など）が採用されてよい。
【００３５】
電力データ１１５は、機器Ａ１０１及び機器Ｂ１０２の各々の消費電力と、電圧線Ｌ１及び電圧線Ｌ２の各々を介して供給される消費電力（電圧線Ｌ１の消費電力，電圧線Ｌ２の消費電力）とを含む。
【００３６】
図４では、機器Ａ１０１の消費電力と電圧線Ｌ１の消費電力とを示す電力データ１１５の一例を示す。
【００３７】
同図の「機器Ａ」が対応付けられた図は、機器Ａ１０１が消費した電力を時系列（秒単位）で示しており、機器Ａ１０１の消費電力の履歴を示す。同図では、機器Ａ１０１は、時間Ｔ１から時間Ｔ２まで電力を消費しており、それ以外での消費電力は僅かである。このことから、機器Ａ１０１は、時間Ｔ１から時間Ｔ２まで運転しており、それ以外では、停止していることが分かる。ここで停止とは、例えば、後述する機器管理装置１０８などからの指示を待つ状態である。
【００３８】
同図の「電圧線Ｌ１」が対応付けられた図は、電圧線Ｌ１の消費電力を時系列（秒単位）で示しており、電圧線Ｌ１の消費電力の履歴を示す。本実施の形態では、機器Ｂ１０２は、第２電圧系統に接続されているので、電圧線Ｌ１を介して供給される電力を消費しない。すなわち、電圧線Ｌ１を介して供給される電力を消費するのは、機器Ａ１０１のみである。そのため、同図に示す例では、電圧線Ｌ１の消費電力と機器Ａ１０１の消費電力とは、対応する各時間においてほぼ等しい。
【００３９】
図２を参照し、電圧測定部１１０は、電圧線Ｌ１、電圧線Ｌ２、中性線Ｎの各々の電圧（電圧値）を測定する。詳細には例えば、電圧測定部１１０には、電圧線Ｌ１、電圧線Ｌ２、中性線Ｎの各々が接続しており、それぞれにより印加される電圧の瞬時値を継続的に測定する。
【００４０】
電流測定部１１１は、電圧線Ｌ１及び電圧線Ｌ２の各々を流れる電流（電流値）と、機器Ａ１０１及び機器Ｂ１０２の各々へ流れる電流（電流値）とを測定する。
【００４１】
詳細には例えば、電流測定部１１１は、電流センサＣＴ１〜ＣＴ４の各々から電流信号を取得する。電流測定部１１１は、電流センサＣＴ１及び電流センサＣＴ２の各々から取得した電流信号に基づいて、電圧線Ｌ１及び電圧線Ｌ２を流れる電流の瞬時値を継続的に測定する。電流測定部１１１は、電流センサＣＴ３及び電流センサＣＴ４の各々から取得した電流信号に基づいて、機器Ａ１０１及び機器Ｂ１０２の各々へ流れる電流の瞬時値を継続的に測定する。
【００４２】
電力演算部１１２は、電圧測定部１１０により測定された電圧線Ｌ１、電圧線Ｌ２の各々の電圧と、電流測定部１１１により測定された各電流と、接続系統データ１１４とに基づいて、消費電力を算出する。本実施の形態では、機器Ａ１０１及び機器Ｂ１０２の各々の消費電力と、電圧線Ｌ１及び電圧線Ｌ２の各々の消費電力とが、電力演算部１１２により算出される。
【００４３】
例えば、電力演算部１１２は、以下の処理を実行することによって、機器Ａ１０１の消費電力を算出する。
【００４４】
電力演算部１１２は、接続系統データ１１４を参照することにより、機器Ａ１０１が接続された電圧系統及び分岐回路として、第１電圧系統及び第１分岐回路１０５ａを特定する。電力演算部１１２は、電圧測定部１１０により測定された第１電圧系統の電圧、すなわち、電圧線Ｌ１の電圧を取得する。電力演算部１１２は、電流測定部１１１により測定された第１分岐回路１０５ａの電流、すなわち、電流センサＣＴ３からの電流信号に基づいて測定された電流を取得する。電力演算部１１２は、電圧線Ｌ１の電圧と第１分岐回路１０５ａの電流との各々の瞬時値の積を求め、ＬＰＦ（ローパスフィルタ）を通すことによって、機器Ａ１０１の消費電力を算出する。
【００４５】
そして、算出した機器Ａ１０１の消費電力が負の値となる場合、電力演算部１１２は、算出した消費電力の絶対値を機器Ａ１０１の消費電力とする。絶対値を求める方法は、算出された負の値の符号を反転させる方法、算出された負の値に−１を乗じる方法、算出された負の値からマイナスの符号を削除する方法など任意の方法が採用されるとよい。
【００４６】
また例えば、電力演算部１１２は、以下の処理を実行することによって、電圧線Ｌ１の消費電力を算出する。
【００４７】
電力演算部１１２は、電圧測定部１１０により測定された電圧線Ｌ１の電圧を取得する。電力演算部１１２は、電流測定部１１１により測定された電圧線Ｌ１を流れる電流、すなわち、電流センサＣＴ１からの電流信号に基づいて測定された電流を取得する。電力演算部１１２は、電圧線Ｌ１の電圧と電圧線Ｌ１を流れる電流との積を求めることによって、電圧線Ｌ１の消費電力を算出する。
【００４８】
設定部１１３は、機器管理装置１０８によって生成される接続系統データ１１４を機器管理装置１０８から取得する。設定部１１３は、機器管理装置１０８から取得した接続系統データ１１４を電力計測記憶部１０９に記憶させる。これにより、接続系統データ１１４が、電力計測装置１０７に設定される。
【００４９】
このような電力計測装置１０７は、物理的には、例えば、１つ又は複数のプロセッサ、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、フラッシュメモリ、通信インタフェースなどを組み合わせて構成されるとよい。そして、電力計測装置１０７の機能は、例えば、物理的な各構成要素が予め組み込まれたソフトウェアプログラムを実行することによって実現されるとよい。
【００５０】
機器管理装置１０８は、機能的には図５に示すように、各種の指示、情報などが入力される入力部１１６と、機器Ａ１０１及び機器Ｂ１０２の各々の動作状態を制御する機器制御部１１７と、電圧線Ｌ１及び電圧線Ｌ２の各々の消費電力が、機器Ａ１０１及び機器Ｂ１０２の各々の動作状態が変化する前後で変動したか否かを判断する変動検出部１１８と、各種データを記憶する機器管理記憶部１１９と、変動検出部１１８による判断の結果に基づいて、機器Ａ１０１及び機器Ｂ１０２の各々が接続された電圧系統を決定する接続系統決定部１２０と、各種情報を表示する表示部１２１とを備える。
【００５１】
入力部１１６は、設置業者、ユーザなどの操作によって、例えば、接続系統データ１１４を電力計測装置１０７に設定する指示（設定指示）が入力される。
【００５２】
機器制御部１１７は、機器Ａ１０１及び機器Ｂ１０２の各々に対して動作制御を実行する。例えば、機器Ａ１０１を制御対象としてその動作状態を停止から運転に変化させる場合、機器制御部１１７は、運転を開始させる指示を機器Ａ１０１へ送信する。
【００５３】
なお、機器Ａ１０１（機器Ｂ１０２）の動作状態の変化は、停止から運転に変化することに限られない。機器Ａ１０１（機器Ｂ１０２）の変化は、制御対象となる機器Ａ１０１（機器Ｂ１０２）の消費電力が通常変化するものであればよい。そのような動作状態の変化の他の例として、運転から停止に変化すること、異なる運転モード間で変化することなどを挙げることができる。空調機の運転モードとしては、例えば、冷房、暖房、送風などがある。テレビの運転モードとしては、例えば、表示画面の輝度が異なる高輝度モード及び低輝度モードなどがある。
【００５４】
変動検出部１１８は、機器Ａ１０１（機器Ｂ１０２）に対する機器制御部１１７の動作制御によって機器Ａ１０１（機器Ｂ１０２）の動作状態が停止から運転に変化する前後で、電圧線Ｌ１及び電圧線Ｌ２の各々の消費電力が変動したか否かを判断する。
【００５５】
すなわち、本実施の形態に係る変動検出部１１８は、変動検出手段の一例であるところ、電力演算部１１２によって算出された消費電力（有効電力）が、機器Ａ１０１（機器Ｂ１０２）の動作状態が変化する前後で変動したか否かを判断する。
【００５６】
詳細には例えば、機器制御部１１７の動作制御によって機器Ａ１０１が、その動作状態を停止から運転に変化させるとする。この場合、変動検出部１１８は、機器制御部１１７が動作制御を実行する前に、電圧線Ｌ１及び電圧線Ｌ２の各々の消費電力を電力計測装置１０７から取得する。この時には、機器Ａ１０１が停止した状態での電圧線Ｌ１及び電圧線Ｌ２の各々の消費電力が取得される。また、変動検出部１１８は、機器制御部１１７が動作制御を実行した後に、電圧線Ｌ１及び電圧線Ｌ２の各々の消費電力を電力計測装置１０７から取得する。この時には、機器Ａ１０１が運転した状態での電圧線Ｌ１及び電圧線Ｌ２の各々の消費電力が取得される。
【００５７】
ここで、一般的な空調機の場合、機器制御部１１７の動作制御による指示を取得してから、消費電力が大きいファンなどが動作するまでに、種々の処理が行われるため、ある程度の時間が掛かる。そのため、機器Ａ１０１の動作状態が変化した後の電圧線Ｌ１及び電圧線Ｌ２の各々の消費電力には、機器制御部１１７が動作制御を実行してから、待機時間が経過した後のものが採用される。
【００５８】
変動検出部１１８は、電圧線Ｌ１の消費電力について、機器Ａ１０１が停止した状態での値と、機器Ａ１０１が運転した状態での値との差分を算出する。同様に、変動検出部１１８は、電圧線Ｌ２の消費電力について、機器Ａ１０１が停止した状態での値と、機器Ａ１０１が運転した状態での値との差分を算出する。
【００５９】
そして、変動検出部１１８は、電圧線Ｌ１及び電圧線Ｌ２の各々について、算出した差分と予め定められた閾値とを比較し、比較した結果に基づいて、電圧線Ｌ１及び電圧線Ｌ２の各々の消費電力が変動したか否かを判断する。
【００６０】
機器管理記憶部１１９は、同図に示すように、待機時間を示す待機時間データ１２２と、閾値を示す閾値データ１２３とを記憶している。すなわち、待機時間データ１２２を記憶する機器管理記憶部１１９は、待機時間記憶手段に相当し、閾値データ１２３を記憶する機器管理記憶部１１９は、閾値記憶手段に相当する。
【００６１】
待機時間データ１２２は、機器Ａ１０１及び機器Ｂ１０２の各々の種別に応じた待機時間を示す。本実施の形態に係る待機時間データ１２２では、図６に示すように、機器Ａ１０１及び機器Ｂ１０２の各々の種別を示す機器種別情報と、予め定められた待機時間を示す待機時間情報とが、関連づけられている。
【００６２】
閾値データ１２３は、機器Ａ１０１及び機器Ｂ１０２の各々の種別に応じた閾値を示す。本実施の形態に係る閾値データ１２３では、図７に示すように、機器Ａ１０１及び機器Ｂ１０２の各々の種別を示す機器種別情報と、予め定められた閾値を示す閾値情報とが、関連づけられている。
【００６３】
図５を参照して、接続系統決定部１２０は、変動検出部１１８によって電圧線Ｌ１及び電圧線Ｌ２の各々の消費電力が変動したと判断されたか否かに基づいて、機器Ａ１０１（機器Ｂ１０２）が接続されている電圧系統（第１電圧系統、第２電圧系統又は第３電圧系統）を決定する。接続系統決定部１２０は、決定した内容を示す接続系統データ１１４を生成し、生成した接続系統データ１１４を電力計測装置１０７へ送信する。
【００６４】
詳細には、接続系統決定部１２０は、変動検出部１１８によって電圧線Ｌ１の消費電力のみが変動したと判断された場合に、電気機器（例えば、機器Ａ１０１）が接続されている電圧系統を、第１電圧系統と決定する。
【００６５】
接続系統決定部１２０は、変動検出部１１８によって電圧線Ｌ２の消費電力のみが変動したと判断された場合に、電気機器（例えば、機器Ｂ１０２）が接続されている電圧系統を、第２電圧系統と決定する。
【００６６】
接続系統決定部１２０は、変動検出部１１８によって電圧線Ｌ１と電圧線Ｌ２との消費電力のいずれもが変動したと判断された場合に、電気機器が接続されている電圧系統を、第３電圧系統と決定する。
【００６７】
表示部１２１は、例えば、変動検出部１１８が取得する消費電力を表示する。詳細には、機器Ａ１０１及び機器Ｂ１０２の各々の動作状態が変化する前後での電圧線Ｌ１及び電圧線Ｌ２の各々の消費電力などが表示される。例えば、図４に示すような時系列のグラフの形式で表示されてもよく、各時点での数値が表示されてもよい。また例えば、消費電力は、機器Ａ１０１（機器Ｂ１０２）ごとに異なる画面に表示されてもよい。
【００６８】
表示部１２１は、また例えば、接続系統決定部１２０により決定された内容を表示する。これにより、設定者が、接続系統決定部１２０により決定された内容を知ることができる。そのため、設定者による設定を支援することができるので、機器Ａ１０１及び機器Ｂ１０２の各々が接続された電圧系統の設定を容易にすることが可能になる。ここで、設置者とは、機器Ａ１０１及び機器Ｂ１０２の各々が接続された電圧系統設が、第１電圧系統、第２電圧系統及び第３電圧系統のいずれであるかを電力計測装置１０７に設定する者であって、典型的には、設置業者、ユーザなどである。
【００６９】
このような機器管理装置１０８は、物理的には、例えば、１つ又は複数のプロセッサ、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、フラッシュメモリ、通信インタフェース、液晶パネル、タッチパネルなどを組み合わせて構成されるとよい。そして、機器管理装置１０８の機能は、例えば、物理的な各構成要素が予め組み込まれたソフトウェアプログラムを協働して実行することによって実現されるとよい。
【００７０】
これまで、本発明の実施の形態１に係る機器管理システム１００の構成について説明した。ここから、実施の形態１に係る機器管理システム１００の動作について説明する。
【００７１】
機器管理システム１００は、例えば、図８に示す接続系統設定処理を実行する。接続系統設定処理は、処理対象となる電気機器（例えば、機器Ａ１０１）が接続されている電源系統を電力計測装置１０７に設定するための処理である。接続系統設定処理は、設定指示が入力部１１６に入力されることによって開始される。
【００７２】
以下では、機器Ａ１０１を処理対象とする接続系統設定処理を例に説明する。また、接続系統設定処理の開始時には、機器Ａ１０１は停止しているとする。機器Ａ１０１による消費電力の変動を正確に判断するために機器Ｂ１０２も停止していることが望ましい。
【００７３】
なお、例えば機器管理装置１０８が管理する機器Ａ１０１及び機器Ｂ１０２のすべてについて、各々が接続されている電源系統が設定されてもよい。この場合、機器Ａ１０１及び機器Ｂ１０２の各々について、同図に示す接続系統設定処理が繰り返し実行されるとよい。また例えば、接続系統設定処理は、機器Ａ１０１及び機器Ｂ１０２のうち、接続先の電圧系統が電力計測装置１０７に設定されていない機器Ａ１０１（機器Ｂ１０２）についてのみ実行されてもよい。
【００７４】
変動検出部１１８は、電圧線Ｌ１及び電圧線Ｌ２の各々の消費電力を示す電力データ１１５を電力計測装置１０７へ要求する。変動検出部１１８は、この要求に対する応答として電力計測装置１０７から電力データ１１５を取得する（ステップＳ１０１）。
【００７５】
機器制御部１１７は、変動検出部１１８からの指示を受けて、機器Ａ１０１に対して動作制御を実行する（ステップＳ１０２）。これにより、機器Ａ１０１は、運転を開始する。
【００７６】
変動検出部１１８は、機器制御部１１７から動作制御を実行した旨の通知を受けて、機器Ａ１０１の種別に応じた待機時間データ１２２を機器管理記憶部１１９から取得する（ステップＳ１０３）。
【００７７】
例えば、待機時間データ１２２が図６に示す内容であるとする。機器Ａ１０１は空調機であるため、変動検出部１１８は、ステップＳ１０３にて「ＷＴ１」を示す待機時間データ１２２を取得する。
【００７８】
変動検出部１１８は、ステップＳ１０３にて取得した待機時間データ１２２が示す待機時間が経過したか否かを判断する（ステップＳ１０４）。待機時間が経過していないと判断した場合（ステップＳ１０４；ＮＯ）、変動検出部１１８は、ステップＳ１０４を継続することで、待機時間の経過を待つ。
【００７９】
待機時間が経過したと判断した場合（ステップＳ１０４；ＹＥＳ）、変動検出部１１８は、電圧線Ｌ１及び電圧線Ｌ２の各々の消費電力を示す電力データ１１５を電力計測装置１０７へ要求する。変動検出部１１８は、この要求に対する応答として電力計測装置１０７から電力データ１１５を取得する（ステップＳ１０５）。
【００８０】
変動検出部１１８は、ステップＳ１０１及びステップＳ１０５で取得した電力データ１１５に基づいて、変動検出処理を実行する（ステップＳ１０６）。
【００８１】
変動検出処理では、例えば図９に示すように、変動検出部１１８は、機器Ａ１０１の種別に応じた閾値データ１２３を機器管理記憶部１１９から取得する（ステップＳ１１１）。
【００８２】
例えば、閾値データ１２３が図７に示す内容であるとする。機器Ａ１０１は空調機であるため、変動検出部１１８は、ステップＳ１１１にて「ＴＨ１」を示す閾値データ１２３を取得する。
【００８３】
変動検出部１１８は、電圧線Ｌ１及び電圧線Ｌ２の各々について、ステップＳ１１３〜ステップＳ１１６を繰り返す（ループＡ；ステップＳ１１２）。
【００８４】
変動検出部１１８は、電圧線Ｌ１について、ステップＳ１０１及びステップＳ１０５で取得した電力データ１０５が示す消費電力の差分を算出する（ステップＳ１１３）。
【００８５】
変動検出部１１８は、ステップＳ１１３にて算出した差分が、ステップＳ１１１にて取得した閾値以上であるか否かを判断する（ステップＳ１１４）。
【００８６】
本実施の形態では、機器Ａ１０１は、第１分岐回路１０５ａを介して電圧線Ｌ１に接続されている。また、待機時間データ１２２及び閾値データ１２３にて機器Ａ１０１に対応付けられた待機時間及び閾値は、機器Ａ１０１が運転を開始してから待機時間が経過した時に、電圧線Ｌ１の消費電力が閾値以上増加するように予め定められる。
【００８７】
そのため、機器Ａ１０１が動作状態を運転に変化させた後の電圧線Ｌ１の消費電力は、機器Ａ１０１が動作状態を変化させる前のものより、閾値以上増加する。その結果、変動検出部１１８は、電圧線Ｌ１について、差分が閾値以上であると判断する（ステップＳ１１４；ＹＥＳ）。
【００８８】
差分が閾値以上であると判断した場合（ステップＳ１１４；ＹＥＳ）、変動検出部１１８は、消費電力が変動したと判断する（ステップＳ１１５）。例えば、機器Ａ１０１の動作状態を変化させた場合、電圧線Ｌ１について、変動検出部１１８は、消費電力が変動したと判断する。
【００８９】
続けて、変動検出部１１８は、電圧線Ｌ２について、同様に、ステップＳ１１３と、ステップＳ１１４とを実行する。機器Ａ１０１は、電圧線Ｌ２に接続されていない。
【００９０】
そのため、電圧線Ｌ２の消費電力が、機器Ａ１０１が運転を開始することで増加することはない。その結果、変動検出部１１８は、電圧線Ｌ２について、差分が閾値以上ではないと判断する（ステップＳ１１４；ＮＯ）。
【００９１】
差分が閾値以上ではないと判断した場合（ステップＳ１１４；ＮＯ）、変動検出部１１８は、消費電力が変動していないと判断する（ステップＳ１１６）。例えば、機器Ａ１０１の動作状態を変化させた場合、電圧線Ｌ２について、変動検出部１１８は、消費電力が変動していないと判断する。
【００９２】
これにより、変動検出部１１８は、ループＡ（ステップＳ１１２）を終了するとともに変動検出処理を終了し、接続系統設定処理（図８参照）に戻る。
【００９３】
接続系統決定部１２０は、変動検出部１１８が上述の変動検出処理を実行した結果を受けて、接続系統決定処理を実行する（ステップＳ１０７）。本実施の形態では、機器Ａ１０１の動作状態を変化させた場合、接続系統決定部１２０は、消費電力が電圧線Ｌ１で変動し、かつ、電圧線Ｌ１で変動していないことを示すデータを、変動検出部１１８から変動検出処理の結果（すなわち、変動検出部１１８による判断の結果）として取得する。
【００９４】
接続系統決定処理では、図１０に示すように、接続系統決定部１２０は、消費電力が電圧線Ｌ１で変動したか否かを判断する（ステップＳ１１７）。
【００９５】
本実施の形態にて機器Ａ１０１の動作状態を変化させた場合、上述の変動検出処理の結果を取得するので、接続系統決定部１２０は、消費電力が電圧線Ｌ１で変動したと判断する。
【００９６】
電圧線Ｌ１で変動したと判断した場合（ステップＳ１１７；ＹＥＳ）、接続系統決定部１２０は、消費電力が電圧線Ｌ２で変動したか否かを判断する（ステップＳ１１８）。
【００９７】
本実施の形態にて機器Ａ１０１の動作状態を変化させた場合、上述の変動検出処理の結果を取得するので、接続系統決定部１２０は、消費電力が電圧線Ｌ２で変動していないと判断する。
【００９８】
電圧線Ｌ２で変動していないと判断した場合（ステップＳ１１８；ＮＯ）、接続系統決定部１２０は、処理対象である電気機器が第１電圧系統に接続されていると決定する（ステップＳ１１９）。例えば、本実施の形態にて処理対象である電気機器が機器Ａ１０１である場合、接続系統決定部１２０は、機器Ａ１０１が第１電圧系統に接続されていると決定する。
【００９９】
電圧線Ｌ２で変動すると判断した場合（ステップＳ１１８；ＹＥＳ）、接続系統決定部１２０は、処理対象である電気機器が第３電圧系統に接続されていると決定する（ステップＳ１２０）。
【０１００】
電圧線Ｌ１で変動しないと判断し（ステップＳ１１７；ＮＯ）、かつ、電圧線Ｌ２で変動しないと判断した場合（ステップＳ１２１；ＮＯ）、接続系統決定部１２０は、エラーと決定する（ステップＳ１２２）。
【０１０１】
電圧線Ｌ１で変動しないと判断し（ステップＳ１１７；ＮＯ）、かつ、電圧線Ｌ２で変動したと判断した場合（ステップＳ１２１；ＹＥＳ）、接続系統決定部１２０は、処理対象である電気機器が第２電圧系統に接続されていると決定する（ステップＳ１２３）。例えば、本実施の形態にて処理対象である電気機器が機器Ｂ１０２である場合、接続系統決定部１２０は、機器Ｂ１０２が第２電圧系統に接続されていると決定する。
【０１０２】
接続系統決定部１２０は、決定した内容を示す接続系統データ１１４を生成すると（ステップＳ１２４）、接続系統決定処理を終了し、接続系統設定処理（図８参照）に戻る。
【０１０３】
接続系統決定部１２０は、生成した接続系統データ１１４を電力計測装置１０７へ送信する（ステップＳ１０８）。
【０１０４】
設定部１１３は、接続系統決定部１２０から接続系統データ１１４を取得すると、取得した接続系統データ１１４を電力計測記憶部１０９に記憶させる。これによって、設定部１１３は、機器Ａ１０１及び機器Ｂ１０２の各々が接続された電圧系統設が、第１電圧系統、第２電圧系統及び第３電圧系統のいずれであるかを電力計測装置１０７に設定する（ステップＳ１０９）。設定部１１３は、接続系統設定処理を終了する。
【０１０５】
なお、ステップＳ１０９にて、取得した接続系統データ１１４がエラーと決定したことを示す場合、設定部１１３は、取得した接続系統データ１１４を電力計測記憶部１０９に記憶させずに、接続系統設定処理を終了してもよい。
【０１０６】
このように、接続系統設定処理を実行することによって、機器Ａ１０１が接続されている電圧系統が自動的に決定されて電力計測装置１０７に自動的に設定される。
【０１０７】
電力計測装置１０７は、例えば図１１に示す機器消費電力測定処理を実行する。機器消費電力測定処理は、機器Ａ１０１（機器Ｂ１０２）の消費電力を測定するための処理である。機器消費電力測定処理は、消費電力を測定する機器Ａ１０１（機器Ｂ１０２）に関する接続系統データ１１４が設定されると、継続的に繰り返し実行されるとよい。
【０１０８】
以下では、機器Ａ１０１に関する機器消費電力測定処理を例に説明するが、機器消費電力測定処理は、機器Ｂ１０２についても同様に実行されるとよい。
【０１０９】
電力演算部１１２は、機器Ａ１０１を含む接続系統データ１１４を電力計測記憶部１０９から取得する（ステップＳ１３１）。
【０１１０】
電力演算部１１２は、ステップＳ１３１にて取得した接続系統データ１１４に応じた電圧線（電圧線Ｌ１及び電圧線Ｌ２の一方又は両方）の電圧を電圧測定部１１０から取得する（ステップＳ１３２）。
【０１１１】
例えば、図３に示す接続系統データ１１４では、機器Ａ１０１は、第１電圧系統に関連付けられているので、電力演算部１１２は、第１電圧系統を構成する電圧線Ｌ１の電圧を抽出する。なお、接続系統データ１１４にて電気機器が第２電圧系統に関連付けられている場合、電力演算部１１２は、電圧線Ｌ２の電圧を取得する。接続系統データ１１４にて電気機器が第３電圧系統に関連付けられている場合、電力演算部１１２は、電圧線Ｌ１及びＬ２の両方の電圧を取得する。
【０１１２】
電力演算部１１２は、ステップＳ１３１にて取得した接続系統データ１１４に応じた配線の電流を電流測定部１１１から取得する（ステップＳ１３３）。
【０１１３】
例えば、図３に示す接続系統データ１１４では、機器Ａ１０１は、第１分岐回路１０５ａに関連付けられているので、電力演算部１１２は、第１分岐回路１０５ａの配線の電流を取得する。なお、電気機器が第２分岐回路１０５ｂに関連付けられている場合、電力演算部１１２は、第２分岐回路１０５ｂの配線の電流を取得する。
【０１１４】
電力演算部１１２は、ステップＳ１３２で取得した電圧と、ステップＳ１３３で取得した電流とに基づいて、機器Ａ１０１の消費電力を算出する（ステップＳ１３４）。
【０１１５】
電力演算部１１２は、ステップＳ１３４にて算出した消費電力が負の値であるか否かを判断する（ステップＳ１３５）。
【０１１６】
消費電力が負の値ではないと判断した場合（ステップＳ１３５；ＮＯ）、電力演算部１１２は、ステップＳ１３４にて算出した消費電力を示す電力データ１１５を生成する（ステップＳ１３６）。
【０１１７】
消費電力が負の値であると判断した場合（ステップＳ１３５；ＹＥＳ）、電力演算部１１２は、ステップＳ１３４にて算出した消費電力の絶対値を求める（ステップＳ１３７）。電力演算部１１２は、ステップＳ１３７にて求めた値を消費電力として示す電力データ１１５を生成する（ステップＳ１３８）。
【０１１８】
電力演算部１１２は、ステップＳ１３６又はステップＳ１３８で生成した電力データ１１５を電力計測記憶部１０９に記憶させ（ステップＳ１３９）、機器消費電力測定処理を終了する。
【０１１９】
これによって、電流センサＣＴ３，ＣＴ４の設置時の極性間違いによって誤った消費電力が算出された場合に、それを正しい消費電力に自動的に修正することができる。
【０１２０】
本実施の形態によれば、変動検出部１１８が、機器Ａ１０１及び機器Ｂ１０２の各々の動作状態が変化する前後で、電圧線Ｌ１及び電圧線Ｌ２の各々の消費電力が変動したか否かを判断する。そして、接続系統決定部１２０が、変動検出部１１８による判断の結果に基づいて、機器Ａ１０１及び機器Ｂ１０２の各々が接続された電圧系統を決定する。
【０１２１】
例えば、接続系統決定部１２０が決定した結果を表示部１２１に表示することによって、設定者による設定を支援することができる。また例えば、接続系統決定部１２０が決定した結果を用いることによって、機器Ａ１０１及び機器Ｂ１０２の各々が接続された電圧系統の設定を自動化することができる。従って、機器Ａ１０１及び機器Ｂ１０２の各々が接続された電圧系統の設定を容易にすることが可能になる。
【０１２２】
本実施の形態では、動作制御を実行する機器制御部１１７が備えられる。そして、機器制御部１１７が動作制御を実行する前後で電圧線Ｌ１及び電圧線Ｌ２の各々の消費電力が変動したか否かが判断されて、機器Ａ１０１及び機器Ｂ１０２の各々が接続された電圧系統が決定される。これにより、設定者が所望する時期に、機器Ａ１０１及び機器Ｂ１０２の各々が接続された電圧系統を機器管理装置１０８に決定させることができる。従って、機器Ａ１０１及び機器Ｂ１０２の各々が接続された電圧系統の設定を容易にすることが可能になる。
【０１２３】
本実施の形態では、電圧線Ｌ１及び電圧線Ｌ２の各々の消費電力が、機器Ａ１０１又は機器Ｂ１０２の動作状態の変化に伴って変動したか否かを判断するために、閾値が参照される。これにより、電圧線Ｌ１及び電圧線Ｌ２の各々の消費電力が、例えば接続系統設定処理の対象外の電気機器の動作、ノイズなどの影響により僅かに変動した場合に、変動したと誤って判断される可能性を低減することができる。従って、電圧線Ｌ１及び電圧線Ｌ２の各々の消費電力が、機器Ａ１０１又は機器Ｂ１０２の動作状態の変化に伴って変動したか否かを正確に判断することが可能になる。
【０１２４】
一般的に、機器Ａ１０１及び機器Ｂ１０２の種別によって消費電力は異なることがある。
【０１２５】
本実施の形態では、機器Ａ１０１及び機器Ｂ１０２の種別に応じた閾値が採用される。これによって、電圧線Ｌ１及び電圧線Ｌ２の各々の消費電力が、機器Ａ１０１又は機器Ｂ１０２の動作状態の変化に伴って変動したか否かを正確に判断することが可能になる。
【０１２６】
一般的に、空調機では、機器制御部１１７が動作制御を実行してから、ある程度の電力を消費する運転状態になるまでには、ある程度の時間を要する。そのため、例えば機器Ａ１０１に対して機器制御部１１７が動作制御を実行した直後の電圧線Ｌ１の消費電力は、動作制御を実行する前のものとあまり変わらず、動作制御の前後で電圧線Ｌ１の消費電力が変動したと判断されない可能性がある。
【０１２７】
本実施の形態では、電圧線Ｌ１及び電圧線Ｌ２の各々の消費電力が、機器Ａ１０１及び機器Ｂ１０２の動作状態の変化に伴って変動したか否かを判断するために、待機時間が参照される。これにより、機器制御部１１７が動作制御を実行することで機器Ａ１０１又は機器Ｂ１０２の接続先の電圧線Ｌ１又は電圧線Ｌ２の消費電力が十分に変化する。従って、電圧線Ｌ１及び電圧線Ｌ２の各々の消費電力が、機器Ａ１０１又は機器Ｂ１０２の動作状態の変化に伴って変動したか否かを正確に判断することが可能になる。
【０１２８】
一般的に、機器制御部１１７が動作制御を実行してから、ある程度の電力を消費する運転状態になるまでの時間は、電気機器の種別によって異なる。例えば、空調機は長く（例えば、約３０秒）、テレビは短い（例えば、数秒）。
【０１２９】
本実施の形態では、機器Ａ１０１及び機器Ｂ１０２の種別に応じた待機時間が採用される。これによって、電圧線Ｌ１及び電圧線Ｌ２の各々の消費電力が、機器Ａ１０１又は機器Ｂ１０２の動作状態の変化に伴って変動したか否かを正確に判断することが可能になる。
【０１３０】
本実施の形態では、接続系統決定部１２０により決定された結果が、接続系統データ１１４として機器管理装置１０８から電力計測装置１０７へ送信されて、電力計測装置１０７に自動的に設定される。これによって、設定者が設定する手間を省き、機器Ａ１０１及び機器Ｂ１０２の各々が接続された電圧系統の設定を容易にすることが可能になる。
【０１３１】
また、単相三線電源は、一般の家庭への電力供給に広く使われている。本実施の形態によれば、一般の家庭において、機器Ａ１０１及び機器Ｂ１０２の各々が接続された電圧系統の設定を容易にすることが可能になる。
【０１３２】
一般的に、電流センサは、極性があり、設置時に極性を誤って配線に設置されることがある。電流センサが極性を誤って設置されると、その電流センサにより検出される電流は、実電流に対して位相が１８０度ずれたものとなる。そのため、極性を誤って設置された電流センサからの電流信号を用いて算出された電気機器の消費電力は、絶対値が正しく、かつ、符号がマイナスの値となる。
【０１３３】
また、一般的に、電気機器が接続された電圧系統を誤って設定した場合にも、その電気機器の消費電力は、符号がマイナスになる。例えば、機器Ａ１０１の接続先が第２電圧系統と設定されていると、機器Ａ１０１の消費電力は、電圧線Ｌ２の（電圧線Ｌ１とは位相が１８０度ずれた）電圧と、電流センサＣＴ３に基づく電流とから算出される。そのため、この場合に算出される機器Ａ１０１の消費電力は、符号がマイナスになる。そして、この場合、絶対値が誤っている。
【０１３４】
このように、従来、電気機器の消費電力の符号がマイナスとなる場合には、電流センサの設置時に極性を間違える第１ケースと、電気機器が接続された電圧系統の設定を間違える第２ケースとの２つのケースが想定される。そして、第２ケースの場合、算出された消費電力の絶対値を求めても、電気機器の正しい消費電力を得ることはできない。そのため、従来、電気機器の消費電力が負となる場合に、単にその絶対値を求めることで、電気機器の正しい消費電力を得ることはできなかった。
【０１３５】
本実施の形態によれば、機器Ａ１０１及び機器Ｂ１０２の各々が接続された電圧系統をほぼ正しく決定して電力計測装置１０７に設定することができる。そのため、機器Ａ１０１（機器Ｂ１０２）の消費電力が負の値となった場合、極性を間違えて電流センサが設置されていると考えることができ、その絶対値を求めることで、機器Ａ１０１（機器Ｂ１０２）の正しい消費電力を得ることができる。従って、電流センサＣＴ３（ＣＴ４）の設置時の極性間違いを検知し、正しい消費電力に自動的に修正することが可能になる。
【０１３６】
以上、本発明の実施の形態１について説明したが、実施の形態１は、以下のように変形されてもよい。
【０１３７】
変形例１．
電力計測装置１０７及び機器管理装置１０８が備える機能は、電力計測装置１０７及び機器管理装置１０８のいずれに備えられていてもよい。例えば、電力演算部１１２が機器管理装置１０８に備えられてもよい。例えば、入力部１１６、変動検出部１１８、接続系統決定部１２０、機器管理記憶部１１９及び表示部１２１の一部又は全部が、電力計測装置１０７に備えられてもよい。これによっても、機器管理システム１００として、実施の形態１と同様の効果を奏する。
【０１３８】
変形例２．
機器管理装置１０８は、タブレット端末、スマートホンなどの端末装置がそれにインストールされたソフトウェアプログラムを実行することによって実現されてもよい。これによっても、機器管理システム１００として、実施の形態１と同様の効果を奏する。
【０１３９】
変形例３．
変動検出部１１８は、機器Ａ１０１（機器Ｂ１０２）の動作状態が変化する前と後とのそれぞれで、電圧線Ｌ１及び電圧線Ｌ２の各々の消費電力を複数回測定した結果を電力計測装置１０７から取得してもよい。この場合、変動検出部１１８は、この取得した結果に基づいて、電圧線Ｌ１及び電圧線Ｌ２の各々の消費電力が変動したか否かを判断するとよい。
【０１４０】
例えば、変動検出部１１８は、機器Ａ１０１が停止した状態での電圧線Ｌ１の消費電力をＮ１（２以上の整数）回測定した結果を取得し、その平均値を算出する。この平均値が、機器Ａ１０１の動作状態が変化する前での電圧線Ｌ１の消費電力として、採用される。また、機器Ａ１０１が運転した状態での電圧線Ｌ１の消費電力をＮ２（２以上の整数）回測定した結果を取得し、その平均値を算出する。この平均値が、機器Ａ１０１の動作状態が変化した後での電圧線Ｌ１の消費電力として、採用されるとよい。
【０１４１】
これによれば、測定値に基づき算出される消費電力が、測定値に含まれるノイズなどから受ける影響を低減することができる。従って、電圧線Ｌ１及び電圧線Ｌ２の各々の消費電力が、機器Ａ１０１（機器Ｂ１０２）の動作状態の変化に伴って変動したか否かを正確に判断することが可能になる。
【０１４２】
変形例４． 
変動検出部１１８は、機器Ａ１０１（機器Ｂ１０２）の動作状態が変化する前後で電圧線Ｌ１及び電圧線Ｌ２の各々の消費電力が変動したか否かを複数回判断してもよい。この場合、接続系統決定部１２０は、変動検出部１１８による複数回の判断の結果に基づいて、機器Ａ１０１（機器Ｂ１０２）が接続された電圧系統を決定するとよい。
【０１４３】
例えば、変動検出部１１８は、機器Ａ１０１の動作状態が変化する前後で電圧線Ｌ１の消費電力が変動したか否かの判断を、Ｎ３（２以上の整数）回実行する。また、変動検出部１１８は、機器Ａ１０１の動作状態が変化する前後で電圧線Ｌ２の消費電力が変動したか否かの判断を、Ｎ４（２以上の整数）回実行する。
【０１４４】
そして、例えば、接続系統決定部１２０は、電圧線Ｌ１について変動したとＮ５（Ｎ３の半分以上の整数）回以上判断され、かつ、電圧線Ｌ２について変動していないとＮ６（Ｎ４の半分以上の整数）回以上判断された場合、機器Ａ１０１が第１電圧系統に接続されていると決定するとよい。また例えば、接続系統決定部１２０は、電圧線Ｌ１について変動していないとＮ５回以上判断され、かつ、電圧線Ｌ２について変動したとＮ６回以上判断された場合、機器Ａ１０１が第２電圧系統に接続されていると決定するとよい。さらに例えば、接続系統決定部１２０は、電圧線Ｌ１について変動したとＮ５回以上判断され、かつ、電圧線Ｌ２について変動したとＮ６回以上判断された場合、機器Ａ１０１は、第３電圧系統に接続されていると決定するとよい。
【０１４５】
これによれば、測定値に基づき算出される消費電力が、測定値に含まれるノイズなどから受ける影響を低減することができる。従って、電圧線Ｌ１及び電圧線Ｌ２の各々の消費電力が、機器Ａ１０１（機器Ｂ１０２）の動作状態の変化に伴って変動したか否かを正確に判断することが可能になる。
【０１４６】
実施の形態２．
実施の形態１では、例えば機器Ａ１０１の接続先の電圧系統を判断する場合、機器Ａ１０１の動作状態が変化する前後で、電圧線Ｌ１及び電圧線Ｌ２の各々の消費電力の変動を検出した。本実施の形態では、この消費電力に代えて、無効電力を採用する。すなわち、本実施の形態では、機器Ａ１０１が接続されている電圧系統は、機器Ａ１０１の動作状態が変化する前後で、電圧線Ｌ１及び電圧線Ｌ２の各々の無効電力が変動したか否かに基づいて、決定される。
【０１４７】
本実施の形態に係る機器管理システム２００は、図１２に示すように、実施の形態１に係る電力計測装置１０７に代わる電力計測装置２０７と、実施の形態１と概ね同様の構成を備える機器管理装置１０８とを備える。
【０１４８】
また、同図に示すように、主幹回路１０３からは、太陽光を受けて発電した電力を供給する太陽光発電システム２２４が接続された第３分岐回路２０５ｃがさらに分岐している。第３分岐回路２０５ｃは、電圧線Ｌ１、電圧線Ｌ２及び中性線Ｎの各々に接続する３本の配線から構成される。
【０１４９】
第３分岐回路２０５ｃには、同図に示すように、分岐ブレーカ２０６ｃと、電流センサＣＴ５とが設けられている。電流センサＣＴ５は、第３分岐回路２０５ｃを構成する３本の配線のうち、電圧線Ｌ１に接続される配線に対応付けて配置されている。電流センサＣＴ５は、太陽光発電システム２２４から主幹回路１０３へ流れる電流の大きさに応じた電流信号を出力する。なお、太陽光発電システム２２４が発電した電力は、中性線Ｎに接続された配線を介して供給されることはなく、電圧線Ｌ１及び電圧線Ｌ２のそれぞれに接続される配線を介して供給される。
【０１５０】
本実施の形態に係る電力計測装置２０７は、図１３に示すように、実施の形態１に係る電力計測装置１０７とは異なる電力計測記憶部２０９、電流測定部２１１、及び、電力演算部２１２を備える。
【０１５１】
電力計測記憶部２０９は、実施の形態１と同様の接続系統データ１１４と、実施の形態１とは異なる電力データ２１５とを記憶する。
【０１５２】
電力データ２１５は、消費電力（有効電力）に関するデータとして、機器Ａ１０１及び機器Ｂ１０２の各々の消費電力と、太陽光発電システム２２４の発電電力と、電圧線Ｌ１及び電圧線Ｌ２の各々の消費電力又は回生電力とを含む。
【０１５３】
図１４Ａは、実施の形態１と同様の機器Ａ１０１の消費電力と、太陽光発電システム２２４による発電電力と、電圧線Ｌ１の消費電力又は回生電力とを示す電力データ１１５との例を示す。
【０１５４】
同図に示す例では、実施の形態１と同様に、機器Ａ１０１が時間Ｔ１から時間Ｔ２まで運転して電力を消費している。また、太陽光発電システム２２４が随時発電している。電圧線Ｌ１の消費電力又は回生電力は、機器Ａ１０１の消費電力から太陽光発電システム２２４による発電電力を差し引いたものとなる。従って、太陽光発電システム２２４が時間Ｔ１までに発電した電力は、ほぼすべて、電圧線Ｌ１の回生電力となっている。また、太陽光発電システム２２４が時間Ｔ１から時間Ｔ２までに発電した電力のうち、機器Ａ１０１により消費された余剰分が、電圧線Ｌ１の回生電力となっている。
【０１５５】
また、電力データ２１５は、無効電力に関するデータとして、機器Ａ１０１及び機器Ｂ１０２の各々の運転に伴う無効電力（機器Ａ１０１の無効電力，機器Ｂ１０２の無効電力）と、電圧線Ｌ１及び電圧線Ｌ２の各々を介して供給される無効電力（電圧線Ｌ１の無効電力，電圧線Ｌ２の無効電力）と、太陽光発電システム２２４の運転に伴う無効電力（太陽光発電システム２２４の無効電力）とを含む。
【０１５６】
図１４Ｂは、機器Ａ１０１の無効電力と、太陽光発電システム２２４の無効電力と、電圧線Ｌ１の無効電力とを示す電力データ２１５の例を示す。
【０１５７】
同図に示す例では、図１４Ａの例と同様に、機器Ａ１０１は、時間Ｔ１から時間Ｔ２まで運転している。電圧線Ｌ１の無効電力は、機器Ａ１０１の無効電力から太陽光発電システム２２４の無効電力を差し引いたものとなる。また、太陽光発電システム２２４の無効電力は、通常、系統連係時にはほとんどない。そのため、図１４Ｂを見ると分かるように、電圧線Ｌ１の無効電力は、機器Ａ１０１の動作状態の変化に伴って大きく変化している。
【０１５８】
電流測定部２１１は、実施の形態１に係る電流測定部１１１が備える機能に加えて、第３分岐回路２０５ｃに設けられた電流センサＣＴ５から電流信号を取得する。これにより、電流測定部２１１は、第３分岐回路１０５ｃの電流（電圧線Ｌ１及び電圧線Ｌ２に接続された配線の各々を流れる電流）を測定する。なお、第３分岐回路１０５ｃの配線のうち、電圧線Ｌ２に接続された配線を流れる電流は、電圧線Ｌ１に接続された配線を流れる電流と逆位相のものとして測定されるとよい。
【０１５９】
電力演算部２１２は、実施の形態１に係る電力演算部１１２と同様の機能を備えて動作する消費電力演算部２２５と、無効電力を演算する無効電力演算部２２６とを備える。
【０１６０】
無効電力演算部２２６は、電圧測定部１１０により測定された電圧線Ｌ１、電圧線Ｌ２の各々の電圧と、電流測定部１１１により測定された各電流と、接続系統データ１１４とに基づいて、無効電力を算出する。本実施の形態では、機器Ａ１０１及び機器Ｂ１０２の各々の無効電力と、電圧線Ｌ１及び電圧線Ｌ２の各々の無効電力と、太陽光発電システム２２４の無効電力とが、無効電力演算部２２６により算出される。
【０１６１】
例えば、無効電力演算部２２６は、以下の処理を実行することによって、機器Ａ１０１の無効電力を算出する。
【０１６２】
無効電力演算部２２６は、接続系統データ１１４を参照することにより、機器Ａ１０１が接続された電圧系統及び分岐回路として、第１電圧系統及び第１分岐回路１０５ａを特定する。無効電力演算部２２６は、電圧測定部１１０により測定された第１電圧系統の電圧、すなわち、電圧線Ｌ１の電圧を取得する。無効電力演算部２２６は、電流測定部１１１により測定された第１分岐回路１０５ａの電流、すなわち、電流センサＣＴ３からの電流信号に基づいて測定された電流を取得する。無効電力演算部２２６は、電圧線Ｌ１の電圧と、第１分岐回路１０５ａの電流の位相を９０度シフトさせた電流との積を求めることによって、機器Ａ１０１の無効電力を算出する。なお、無効電力は、皮相電力と消費電力との差として、簡易的に算出されてもよい。
【０１６３】
また例えば、無効電力演算部２２６は、以下の処理を実行することによって、電圧線Ｌ１の無効電力を算出する。
【０１６４】
詳細には、無効電力演算部２２６は、電圧測定部１１０により測定された電圧線Ｌ１の電圧を取得する。無効電力演算部２２６は、電流測定部１１１により測定された電圧線Ｌ１を流れる電流、すなわち、電流センサＣＴ１からの電流信号に基づいて測定された電流を取得する。無効電力演算部２２６は、電圧線Ｌ１の電圧と、電圧線Ｌ１を流れる電流の位相を９０度シフトさせた電流との積を求めることによって、電圧線Ｌ１の無効電力を算出する。
【０１６５】
本実施の形態に係る機器管理装置１０８が備える変動検出部１１８は、実施の形態１に係る変動検出部１１８が電圧線Ｌ１及び電圧線Ｌ２の各々の消費電力の変動を検出することに代えて、電圧線Ｌ１及び電圧線Ｌ２の各々の無効電力の変動を検出する。
【０１６６】
すなわち、本実施の形態に係る変動検出部１１８の機能及び動作は、概ね、実施の形態１での変動検出部１１８の機能及び動作の説明において、消費電力を無効電力に置き換えたものとなる。
【０１６７】
また、本実施の形態に係る変動検出部１１８は、変動検出手段の一例であるところ、電力演算部２１２が有する無効電力演算部２２６によって算出された無効電力が、機器Ａ１０１（機器Ｂ１０２）の動作状態が変化する前後で変動したか否かを判断する。
【０１６８】
本実施の形態に係る接続系統決定部１２０は、変動検出部１１８による判断の結果として、変動検出部１１８によって電圧線Ｌ１及び電圧線Ｌ２の各々の無効電力が変動したと判断されたか否かを採用する。
【０１６９】
すなわち、本実施の形態に係る接続系統決定部１２０の機能及び動作は、概ね、実施の形態１での接続系統決定部１２０の機能及び動作の説明において、消費電力を無効電力に置き換えたものとなる。
【０１７０】
本実施の形態によれば、実施の形態１と同様の効果に加えて、以下の効果を奏する。
【０１７１】
例えば、電圧線Ｌ１に接続された機器Ａ１０１の動作状態を停止から運転に変化させたとする。この場合において、機器Ａ１０１の消費電力が太陽光発電システム２２４の発電電力とほとんど等しいとき、電圧線Ｌ１の消費電力は、ほとんど増加しない。このように、機器Ａ１０１の動作状態が変化しても、電圧線Ｌ１の消費電力が変動しないことがあるため、実施の形態１で説明した方法では、機器Ａ１０１が接続されている電圧系統を正しく決定できない可能性がある。
【０１７２】
これは、蓄電池が、太陽光発電システム２２４に代えて、第３分岐回路２０５ｃを介して家庭に電力を供給する場合も同様である。蓄電池は通常、機器Ａ１０１の消費電力に応じた電力を供給する。そのため、電圧線Ｌ１に接続された機器Ａ１０１の動作状態が変化しても、電圧線Ｌ１の消費電力は、ほとんど変化しない。その結果、家庭に蓄電池が設置されている場合も、機器Ａ１０１が接続されている電圧系統を正しく決定できない可能性がある。
【０１７３】
また、太陽光発電システム２２４の発電電力は、日射などの状況に応じて時々刻々変化する。そのため、例えば図１４Ａを参照すると分かるように、機器Ａ１０１の動作状態の変化に伴う電圧線Ｌ１の消費電力の変化は、太陽光発電システム２２４の発電に伴う電圧線Ｌ１の消費電力又は回生電力の変化に埋もれてしまう。そのため、実施の形態１で説明した方法では、機器Ａ１０１の動作状態の変化に伴う電圧線Ｌ１の消費電力又は回生電力の変動を正しく検出できないことがある。その結果、機器Ａ１０１が接続されている電圧系統を正しく決定できないことがある。
【０１７４】
これに対して、太陽光発電システム２２４が主幹回路１０３に接続されている場合であっても、電圧線Ｌ１の無効電力は、それに接続された機器Ａ１０１の動作状態の変化に伴って大きく変化する（図１４Ｂ参照）。
【０１７５】
本実施の形態では、機器Ａ１０１（機器Ｂ１０２）の動作状態が変化する前後で、電圧線Ｌ１及び電圧線Ｌ２の各々の無効電力が変動したか否かを判断する。そして、機器Ａ１０１（機器Ｂ１０２）の動作状態に伴う電圧線Ｌ１及び電圧線Ｌ２の各々の無効電力の変動を検出することができる。そのため、太陽光発電システム２２４、蓄電池などの給電設備が家庭に設置されていても、接続系統決定部１２０は、変動検出部１１８による判断の結果に基づいて、機器Ａ１０１及び機器Ｂ１０２の各々が接続された電圧系統を決定することができる。
【０１７６】
従って、本実施の形態によれば、太陽光発電システム２２４などの給電設備が家庭などの需要家に設置されている場合であっても、機器Ａ１０１及び機器Ｂ１０２の各々が接続された電圧系統の設定を容易にすることが可能になる。
【０１７７】
変形例５．
表示部１２１は、機器Ａ１０１（機器Ｂ１０２）の動作状態が変化する前後に無効電力演算部２２６によって算出された無効電力を表示するとよい。例えば、図１４Ｂに示すグラフの形式で表示されてもよく、算出された無効電力の値が時系列で表示されてもよい。また例えば、無効電力は、機器Ａ１０１（機器Ｂ１０２）ごとに異なる画面に表示されてもよい。表示部１２１に無効電力を表示させることによって、設定者による設定を支援することができる。従って、機器Ａ１０１（機器Ｂ１０２）が接続された電圧系統の設定を容易にすることが可能になる。
【０１７８】
変形例６．
実施の形態２では、例えば機器Ａ１０１の動作状態の変化に伴う無効電力の変動に基づいて、機器Ａ１０１が接続された電圧系統を決定する例を説明した。上述の通り、給電設備は通常、無効電力がほとんどなく、力率１で運転するため、実施の形態２によれば、給電設備が家庭に設置されていても、例えば機器Ａ１０１が接続された電圧系統を決定することができる。
【０１７９】
しかしながら、太陽光発電システム２２４は、一定の力率で運転する定力率運転において、通常時は力率１で運転しながらも、稀に、系統電圧の上昇を防止するため、力率が１よりも小さい一定の力率で運転することがある。
【０１８０】
本変形例では、太陽光発電システム２２４が、１よりも小さい力率で運転している場合、例えば機器Ａ１０１の動作状態の変化に伴う直交電力の変動に基づいて、機器Ａ１０１が接続された電圧系統を決定する。
【０１８１】
ここで、直交電力とは、電圧線の各々に接続された太陽光発電システム２２４から流れる電流波形の位相が、太陽光発電システム２２４により印加される電圧波形の位相よりθ度進んでいる場合に、電流の位相を９０度−θ度シフトさせた電流と、電圧とを掛けることにより求められる電力である。例えば機器Ａ１０１の直交電力は、機器Ａ１０１に流れる電流の位相を９０度−θ度シフトさせた電流と、電圧線Ｌ１の電圧との積として求められる。
【０１８２】
本変形例に係る機器管理システム３００は、図１５に示すように、実施の形態２に係る電力計測装置２０７に代わる電力計測装置３０７と、実施の形態１と概ね同様の構成を備える機器管理装置１０８とを備える。
【０１８３】
本変形例に係る電力計測装置３０７は、図１６に示すように、実施の形態２に係る電力計測装置２０７とは異なる電力計測記憶部３０９、及び、電力演算部３１２を備える。
【０１８４】
電力計測記憶部３０９は、実施の形態２と同様の接続系統データ１１４と、実施の形態２とは異なる電力データ３１５とを記憶する。
【０１８５】
電力データ３１５は、実施の形態２に係る電力データ２１５と同様の消費電力に関するデータを含む。電力データ３１５は、実施の形態２に係る電力データ２１５の無効電力に関するデータに代えて、直交電力に関するデータを含む。
【０１８６】
この直交電力に関するデータは、機器Ａ１０１及び機器Ｂ１０２の各々の運転に伴う直交電力（機器Ａ１０１の直交電力，機器Ｂ１０２の直交電力）と、電圧線Ｌ１及び電圧線Ｌ２の各々を介して供給される直交電力（電圧線Ｌ１の直交電力，電圧線Ｌ２の直交電力）と、太陽光発電システム２２４の運転に伴う直交電力（太陽光発電システム２２４の直交電力）とを含む。
【０１８７】
機器Ａ１０１の直交電力は、上述の通りである。機器Ｂ１０２の直交電力は、機器Ｂ１０２に流れる電流の位相を９０度−θ度シフトさせた電流と、電圧線Ｌ１と電圧線Ｌ２との間の電圧との積として求められる。
【０１８８】
電圧線Ｌ１の直交電力は、電圧線Ｌ１に流れる電流の位相を９０度−θ度シフトさせた電流と、電圧線Ｌ１の電圧との積として求められる。電圧線Ｌ２の直交電力は、電圧線Ｌ２に流れる電流の位相を９０度−θ度シフトさせた電流と、電圧線Ｌ２の電圧との積として求められる。
【０１８９】
θは、上述の通り、太陽光発電システム２２４により印加される電圧の波形に対する、太陽光発電システム２２４から流れる電流の波形の進み度合いを位相（角度）で表したものである。そのため、太陽光発電システム２２４の直交電力は、ほとんどない。その結果、例えば機器Ａ１０１の動作状態が変化すると、その変化に伴って、電圧線Ｌ１の直交電力は大きく変化する。
【０１９０】
電力演算部３１２は、実施の形態２に係る消費電力演算部２２５と、直交電力を演算する直交電力演算部３２６とを備える。
【０１９１】
直交電力演算部３２６は、太陽光発電システム２２４が定力率運転をしている場合、太陽光発電システム２２４の力率を演算する。太陽光発電システム２２４の力率は、太陽光発電システム２２４の消費電力（有効電力）を皮相電力で割ることによって演算される。太陽光発電システム２２４の消費電力及び皮相電力は、それぞれ、電流センサＣＴ５から出力される電流信号が示す電流に基づいて、演算される。
【０１９２】
太陽光発電システム２２４の力率が１である場合、直交電力演算部３２６は、実施の形態２に係る無効電力演算部２２６と同様の機能を発揮するとともに動作し、それによって、直交電力を算出する。すなわち、この場合に算出される直交電力は、無効電力に相当する。
【０１９３】
太陽光発電システム２２４の力率が１でない場合、直交電力演算部３２６は、力率に基づいて、太陽光発電システム２２４により印加される電圧波形の位相に対して、太陽光発電システム２２４から流れる電流波形の位相が何度進んでいるか、すなわち、θを決定する。そして、直交電力演算部３２６は、決定したθに基づいて、上述の直交電力の各々を算出する。
【０１９４】
例えば、太陽光発電システム２２４の力率が０．８である場合、直交電力演算部３２６は、進み位相θが３７度であると決定する。このような力率とθとの関係は、直交電力演算部３２６に予め記憶されているとよい。直交電力演算部３２６は、例えば機器Ａ１０１の直交電力を、第１分岐回路１０５ａの電流の位相を５３度（９０度−３７度）遅らせるようにシフトさせた電流と、電圧線Ｌ１との積を演算することによって求める。
【０１９５】
本変形例に係る変動検出部１１８は、実施の形態２に係る変動検出部１１８が電圧線Ｌ１及び電圧線Ｌ２の各々の無効電力の変動を検出することに代えて、電圧線Ｌ１及び電圧線Ｌ２の各々の直交電力の変動を検出する。
【０１９６】
すなわち、本変形例に係る変動検出部１１８の機能及び動作は、概ね、実施の形態２での変動検出部１１８の機能及び動作において、無効電力を直交電力に置き換えたものとなる。
【０１９７】
また、本変形例に係る変動検出部１１８は、変動検出手段の一例であるところ、電力演算部３１２が有する直交電力演算部３２６によって算出された直交電力が、機器Ａ１０１（機器Ｂ１０２）の動作状態が変化する前後で変動したか否かを判断する。
【０１９８】
本変形例に係る接続系統決定部１２０は、変動検出部１１８による判断の結果として、変動検出部１１８によって電圧線Ｌ１及び電圧線Ｌ２の各々の直交電力が変動したと判断されたか否かを採用する。
【０１９９】
すなわち、本変形例に係る接続系統決定部１２０の機能及び動作は、概ね、実施の形態２での接続系統決定部１２０の機能及び動作において、無効電力を直交電力に置き換えたものとなる。
【０２００】
本変形例によれば、実施の形態２と同様の効果に加えて、以下の効果を奏する。
【０２０１】
太陽光発電システム２２４が主幹回路１０３に接続されており、かつ、力率１で運転していない場合であっても、電圧線Ｌ１の直交電力は、それに接続された機器Ａ１０１の動作状態の変化に伴って大きく変化する。
【０２０２】
本変形例では、機器Ａ１０１（機器Ｂ１０２）の動作状態が変化する前後で、電圧線Ｌ１及び電圧線Ｌ２の各々の直交電力が変動したか否かを判断する。そして、機器Ａ１０１（機器Ｂ１０２）の動作状態に伴う電圧線Ｌ１及び電圧線Ｌ２の各々の直交電力の変動を検出することができる。そのため、太陽光発電システム２２４、蓄電池などの給電設備が家庭に設置され、かつ、給電設備が力率１で運転していない場合であっても、接続系統決定部１２０は、変動検出部１１８による判断の結果に基づいて、機器Ａ１０１及び機器Ｂ１０２の各々が接続された電圧系統を決定することができる。
【０２０３】
従って、本変形例によれば、太陽光発電システム２２４などの給電設備が家庭などの需要家に設置され、かつ、給電設備が力率１で運転していない場合であっても、機器Ａ１０１及び機器Ｂ１０２の各々が接続された電圧系統の設定を容易にすることが可能になる。
【０２０４】
本変形例に係る表示部１２１は、機器Ａ１０１（機器Ｂ１０２）の動作状態が変化する前後に直交電力演算部３２６によって算出された直交電力を表示するとよい。
【０２０５】
表示部１２１に直交電力を表示させることによって、設定者による設定を支援することができる。従って、機器Ａ１０１（機器Ｂ１０２）が接続された電圧系統の設定を容易にすることが可能になる。
【０２０６】
以上、本発明の実施の形態及び変形例について説明したが、本発明は、これらの実施の形態及び変形例に限定されない。本発明は、各実施の形態と各変形例とを適宜組み合わせた形態、それに種々の変更を加えた形態を含む。
【符号の説明】
【０２０７】
１００，２００，３００  機器管理システム、１０１  機器Ａ、１０２  機器Ｂ、１０７，２０７，３０７  電力計測装置、１０８  機器管理装置、１０９，２０９，３０９  電力計測記憶部、１１０  電圧測定部、１１１，２１１  電流測定部、１１２，２１２，３１２  電力演算部、１１３  設定部、１１４  接続系統データ、１１５，２１５，３１５  電力データ、１１７  機器制御部、１１８  変動検出部、１１９  機器管理記憶部、１２０  接続系統決定部、１２１  表示部、１２２  待機時間データ、１２３  閾値データ、２２４  太陽光発電システム、２２５  消費電力演算部、２２６  無効電力演算部、３２６  直交電力演算部。
【図１】
0006406896.tif 000002
【図２】
0006406896.tif 000003
【図３】
0006406896.tif 000004
【図４】
0006406896.tif 000005
【図５】
0006406896.tif 000006
【図６】
0006406896.tif 000007
【図７】
0006406896.tif 000008
【図８】
0006406896.tif 000009
【図９】
0006406896.tif 000010
【図１０】
0006406896.tif 000011
【図１１】
0006406896.tif 000012
【図１２】
0006406896.tif 000013
【図１３】
0006406896.tif 000014
【図１４Ａ】
0006406896.tif 000015
【図１４Ｂ】
0006406896.tif 000016
【図１５】
0006406896.tif 000017
【図１６】
0006406896.tif 000018